(57)【特許請求の範囲】
【請求項１】
外形がほぼ直方体状で前部側に開口部を有する室容器本体(1)と、
室容器本体(1)の開口部(16)に開閉可能に設けられており、錠(22)を有する扉部材(2,2a)と、
他の納骨用室容器と、上下方向及び縦横方向に相互に連結するための連結手段と、
を備えており、
室容器本体(1)と扉部材(2,2a)は金属製であり、
室容器本体(1)の内部の前部側の開口部(16)寄りには、内戸部材(3,3a)が開閉可能に取り付けられており、内戸部材(3,3a)の後部側の空間部は納骨部(18)となっており、扉部材(2,2a)と内戸部材(3,3a)の間の空間部は線香を焚き灯明を灯す場所となっており、
室容器本体(1)の角辺部には、面板より肉厚に形成された条部(10)が設けられており、条部(10)を設けることにより、室容器本体(1)を連結したときに隣接する面板同士が密着せず空間部が形成されるようにしてあり、
連結手段は、係合凹部(107,109)と、係合凹部(107,109)と相互に蟻継ぎが可能な係合凸部(106,108)を有しており、更に面板にボルト・ナット(7)で締付固定するためのボルト止め用穴(111,141,151)を有しており、ボルト止め用穴(111,141,151)は未貫通孔で、塞がった部分を破壊することによってボルトを通す孔として使用可能になるものであることを特徴とする、
納骨用室容器。
【請求項２】
故人にまつわる事項を表示した銘板を着脱可能に設ける手段を備えていることを特徴とする、
請求項１記載の納骨用室容器。
【請求項３】
請求項１または２記載の納骨用室容器を連結手段を介し上下方向及び縦横方向に連結して面板間に空間部が形成されるようにし、扉部材(2,2a)が設けてある側が外部に表れるようにして構築されていることを特徴とする、
納骨施設。
【請求項４】
仏像(6)と組み合わせてあることを特徴とする、
請求項３記載の納骨施設。
【発明の詳細な説明】
【０００１】
【発明の属する技術分野】
本発明は、納骨用室容器及び納骨施設に関するものである。更に詳しくは、互いに連結して組み合わせることにより、納骨施設を構築することができる納骨用室容器に関する。また、納骨用室容器を組み合わせて構築され、構築後の納骨用室容器の増設や移設を可能にした納骨施設に関する。
【０００２】
【従来技術】
仏教において火葬が行われるようになってから、遺骨を霊場に納めて死者の魂の成仏鎮魂を祈る「納骨」という風習が生まれた。現代において、納骨は、特定の霊場ではなく、寺等の敷地内に建てられた納骨施設（通常は、納骨堂といわれる）に納めるのが一般的になっている。従来の納骨施設は、建物の室の中に小さな納骨室を多数設けた構造であった。
【０００３】
【発明が解決しようとする課題】
上記従来の納骨施設には、次のような課題があった。
すなわち、納骨施設は、一旦建てられると建物の大きさが決まるので、設置することができる納骨室の数も決まる。このため、その後、納骨室を増やす必要が生じたときに、予め設定された納骨室の数を越える増設は困難である。
このため、特に都会では、墓を持たない人たちが寺に納骨をしようとしても、納骨室の絶対数が不足しているため、抽選が行われる事態になっている。結果、納骨が何年もできず、長期にわたり自宅で保管することになる場合も多い。
また、多数の納骨室を設置して納めるために、その収納体として建物を建設する必要があるので、全体として大掛かりで複雑な施設となっており、移設もできなかった。
【０００４】
（本発明の目的）
本発明の目的は、互いに連結して組み合わせることにより、自由な規模で納骨施設を構築することができる納骨用室容器を提供することである。
本発明の他の目的は、納骨用室容器を組み合わせて自由な規模で構築することができ、全体として簡易で無駄のない構造の納骨施設を提供することである。
本発明の他の目的は、納骨施設を構築した後の納骨用室容器（納骨室）の増設や移設あるいは納骨施設そのものの移設を可能にした納骨施設を提供することである。
【０００５】
【課題を解決するための手段】
上記目的を達成するために講じた本発明の手段は次のとおりである。
第１の発明にあっては、
外形がほぼ直方体状で前部側に開口部を有する室容器本体と、
室容器本体の開口部に開閉可能に設けられており、錠を有する扉部材と、
他の納骨用室容器と、上下方向及び縦横方向に相互に連結するための連結手段と、
を備えており、
室容器本体と扉部材は金属製であり、
室容器本体の内部の前部側の開口部寄りには、内戸部材が開閉可能に取り付けられており、内戸部材の後部側の空間部は納骨部となっており、扉部材と内戸部材の間の空間部は線香を焚き灯明を灯す場所となっており、
室容器本体の角辺部には、面板より肉厚に形成された条部が設けられており、条部を設けることにより、室容器本体を連結したときに隣接する面板同士が密着せず空間部が形成されるようにしてあり、
連結手段は、係合凹部と、係合凹部と相互に蟻継ぎが可能な係合凸部を有しており、更に面板にボルト・ナットで締付固定するためのボルト止め用穴を有しており、ボルト止め用穴は未貫通孔で、塞がった部分を破壊することによってボルトを通す孔として使用可能になるものであることを特徴とする、
納骨用室容器である。
【０００６】
第２の発明にあっては、
故人にまつわる事項を表示した銘板を着脱可能に設ける手段を備えていることを特徴とする、
第１の発明に係る納骨用室容器である。
【０００７】
第３の発明にあっては、
第１または第２の発明に係る納骨用室容器を連結手段を介し上下方向及び縦横方向に連結して面板間に空間部が形成されるようにし、扉部材が設けてある側が外部に表れるようにして構築されていることを特徴とする、
納骨施設である。
【０００８】
第４の発明にあっては、
仏像と組み合わせてあることを特徴とする、
第３の発明に係る納骨施設である。
【０００９】
連結手段としては、凹部と、凹部に嵌合または係合する凸部を有する構造の他、例えばボルト・ナット等の各種固着具等があげられるが、これに限定されるものではない。
【００１０】
銘板を着脱可能に設ける手段は、例えば嵌め込み用の溝、凹部、挟持金具、ネジ孔、差し込み孔等であるが、公知の各種手段が採用でき、これらに限定されるものではない。また、銘板を設ける箇所も特に限定せず、例えば内部側壁や扉部材等である。
【００１１】
（作用）
本発明に係る納骨用室容器は、連結手段によって、他の納骨用室容器と上下方向（高さ方向）及び縦横方向に相互に連結することができる。
これにより、多数の納骨用室容器が上下方向と縦横方向に連結された、全体として簡易で無駄のない構造の納骨施設を構築することができる。
故人にまつわる事項を表示した銘板を着脱可能に設ける手段を備えているものは、銘板を設けることにより、まつられている故人がどのような人であったか等の情報を簡単に得ることができる。また、銘板が増えれば移動させる等、銘板を整理して収めることができる。
【００１２】
本発明に係る納骨施設は、納骨用室容器を連結手段によって他の納骨用室容器と上下方向及び縦横方向に相互に連結して構築される構造である。
従って、納骨施設を構築した後でも、納骨用室容器を連結するだけで、納骨室の増設が容易にできる。また、納骨用室容器の移設も可能であり、納骨施設そのものの移設も可能である。
【００１３】
【発明の実施の形態】
本発明を図面に示した実施の形態に基づき更に詳細に説明する。
図１は本発明に係る納骨用室容器の一実施の形態を示す斜視説明図、
図２は図１に示す納骨用室容器の正面図、
図３は図１に示す納骨用室容器の背面図、
図４は図１に示す納骨用室容器の平面図、
図５は図１に示す納骨用室容器の底面図、
図６は図１に示す納骨用室容器の右側面図、
図７は図１に示す納骨用室容器の左側面図、
図８は図２におけるＡ−Ａ断面図、
図９は図２におけるＢ−Ｂ断面図、
図１０は図６におけるＣ−Ｃ断面図である。
【００１４】
符号Ｒ１は納骨用室容器で、金属製の室容器本体１と二枚の扉部材２、２ａ及び二枚の内戸部材３、３ａにより構成されている。なお、扉部材２、２ａ及び内戸部材３、３ａは、木製等、他の素材を使用することもできる。
室容器本体１は、外形がほぼ直方体状で前部側が開口した構造である。室容器本体１の全部の角辺部には、補強のために肉厚に形成された条部１０が設けられている。
【００１５】
条部１０は、正面図（図２参照）で表れる条面１００、背面図（図３参照）で表れる条面１０１、平面図（図４参照）で表れる条面１０２、底面図（図５参照）で表れる条面１０３、右側面図（図６参照）で表れる条面１０４及び左側面図（図７参照）で表れる条面１０５を有している。
【００１６】
図３を参照する。
背面板１１の中央部には、条面１０１側の条部１０を縦方向につなぐように肉厚の縦条部１１０が設けられている。縦条部１１０の中央部には、ボルト止め用下穴１１１が設けられている。ボルト止め用下穴１１１は、内部側が塞がった未貫通孔であり、塞がった部分を破壊することによって、ボルトを通す孔として使用可能になる。
【００１７】
また、背面側の条面１０１のうち、上下の横方向部分には、それぞれ図において左側部分に係合凸部１０６が設けられており、右側部分に係合凹部１０７が設けられている。係合凸部１０６は、平面視で先部側が幅広の台形状であり、係合凹部１０７も係合凸部１０６（他の納骨用室容器Ｒ１のもの）と係合可能な台形状である。係合凸部１０６と係合凹部１０７による連結構造は、いわゆる蟻形継ぎといわれるものである。
【００１８】
図４を参照する。
上面板１２の中央部には、条面１０２側の条部１０を横方向につなぐように横条部１２０が設けられている。
図５を参照する。
底面板１３の中央部には、条面１０３側の条部１０を横方向につなぐように横条部１３０が設けられている。条面１０３の内側には、全周にわたり下方へ突出して係合台部１９が設けられている。係合台部１９は、上記上面側の条面１０２の内側に内嵌めにより係合できるようにしてある。
【００１９】
図６を参照する。
右側面板１４の中央部には、条面１０４側の条部１０を縦方向につなぐように肉厚の縦条部１４０が設けられている。縦条部１４０の中央部には、上記ボルト止め用下穴１１１と同様のボルト止め用下穴１４１が設けられている。
【００２０】
また、右側面側の条面１０４のうち、上下の横方向部分には、それぞれ図において左側部分と右側部分に係合凸部１０８が合計４箇所に設けられている。係合凸部１０８は、平面視で先部側が幅広の台形状であり、後述する係合凹部１０９（他の納骨用室容器Ｒ１のもの）と係合可能な台形状である。
【００２１】
図７を参照する。
左側面板１５の中央部には、条面１０５側の条部１０を縦方向につなぐように肉厚の縦条部１５０が設けられている。縦条部１５０の中央部には、上記ボルト止め用下穴１１１と同様のボルト止め用下穴１５１が設けられている。
【００２２】
また、左側面側の条面１０５のうち、上下の横方向部分には、それぞれ図において左側部分と右側部分に係合凹部１０９が合計４箇所に設けられている。係合凹部１０９は、平面視で先部側が幅広の台形状であり、上記したように、上記係合凸部１０８（他の納骨用室容器Ｒ１のもの）と係合可能な台形状である。
【００２３】
室容器本体１の前部側の開口部１６には、二枚の扉部材２、２ａがヒンジピン２０によって、開閉可能に取り付けられている。扉部材２、２ａの取付構造は、いわゆる観音開きといわれるものである。扉部材２、２ａの内側端部には、掛金具２１がそれぞれ設けられている。掛金具２１には、錠２２が取り付けられている。
本実施の形態に係る錠２２は、いわゆる南京錠といわれるものであるが、これに限定されるものではなく、他の構造の錠でもよい。また、扉部材２、２ａと別体の錠ではなく、扉部材２、２ａ内部に組み込む構造の錠を採用することもできる。
【００２４】
また、室容器本体１の内部の前部側の開口部１６寄りには、二枚の内戸部材３、３ａが開閉可能に取り付けられている。内戸部材３、３ａは、上面板１２と底面板１３の内面側に、背面板１１と平行に設けられているレール１２１、１３１にスライド可能に取り付けられている。内戸部材３、３ａの後部側の空間部は、納骨部１８となっている。
更に、扉部材２、２ａと内戸部材３、３ａの間の空間部では、線香を焚いたり灯明を灯したりすることができる。室容器本体１、扉部材２、２ａ及び内戸部材３、３ａは金属製であるので、引火の心配がなく安全である。
【００２５】
内戸部材３、３ａの構造は引き違い戸であり、それぞれの左側には、引手３０、３０ａが設けられている。引手３０は後方へ凹んでおり、引手３０ａは前方へ突出している。これにより、内戸部材３、３ａの開閉時に引手３０、３０ａが邪魔にならない。なお、引手は、両方を右側に設けてもよいし、一方を左側、他方を右側（各々閉じたときに外側）に設けてもよい。
【００２６】
（作  用）
図１１は本発明に係る納骨施設の一実施の形態を示す説明図、
図１２は納骨用室容器の縦横方向の連結構造を示す説明図、
図１３は納骨用室容器の上下方向の連結構造を示す断面説明図である。
図１ないし図１３を参照して、本実施の形態に係る納骨用室容器及び納骨施設の作用を説明する。
【００２７】
符号Ｔは納骨施設である。納骨施設Ｔは、納骨用室容器Ｒ１を縦横方向及び上下方向に連結して構築した堂体４と、回廊５及び仏像６を備えている。なお、図示はしていないが、床部分を石畳のように構築したり、全体をテント等で覆うようにしてもよい。
ここで、図１２、図１３を参照して、堂体４の構築方法を説明する。
まず、納骨用室容器Ｒ１を横方向に連結する場合は、各納骨用室容器Ｒ１の右側面側にある係合凸部１０８と左側面側にある係合凹部１０９を係合させるようにする（図１２参照）。なお、係合凸部１０８と係合凹部１０９を係合させるときは、互いに上下方向にずらして位置させ、係合させて上下方向の位置を合わせるようにスライドさせる。
【００２８】
納骨用室容器Ｒ１を縦方向に連結する場合は、各納骨用室容器Ｒ１の背面側にある係合凸部１０６と係合凹部１０７を係合させるようにする（図１２参照）。係合凸部１０６と係合凹部１０７を係合させるときは、互いに上下方向にずらして位置させ、係合させて上下方向の位置を合わせるようにスライドさせるのは、上記横方向に連結する場合と同様である。なお、納骨用室容器Ｒ１の縦方向への連結は、前面側に扉部材２、２ａが設けられている構造上、二台しかできないことはいうまでもない。
【００２９】
なお、背面側の縦条部１１０と、右側面側の縦条部１４０及び左側面側の縦条部１５０には、それぞれボルト止め用下穴１１１、１４１、１５１が設けられているので、必要に応じて、塞いでいる部分（穴底部分）を破壊して貫通させて貫通孔を形成し、隣り合う納骨用室容器Ｒ１の貫通孔にボルトを通してナットで締め付けることによって、より強固に連結することもできる（ボルト・ナットによる固定構造については後述、図１４、図１５参照）。
【００３０】
また、納骨用室容器Ｒ１を上下方向に連結する場合は、底面側にある係合台部１９を上面側の条面１０２の内側に内嵌めして係合する。なお、本実施の形態では、上下方向の連結は嵌合のみによるが、後述する図１５に示すように両側面側と同様にボルト止め用下穴等を設けて、ボルトで連結できるようにしてもよい。
【００３１】
堂体４は、上記のようにして納骨用室容器Ｒ１を上下方向及び横方向（場合によって縦方向）に連結し、両端部に多数の端面部材４０を取り付け、外面側（納骨用室容器Ｒ１の背面側に当たる部分）には多数の外側面部材４１を取り付けて、全体が平面視コ字状となるよう構築されている。
【００３２】
本実施の形態では、各納骨用室容器Ｒ１の扉部材２、２ａは、堂体４の内面側に位置するようにしてあるが、上記図１２を参照して説明したように、背面側を連結して、堂体４の内面側と外面側に扉部材２、２ａが表れるように構築することもできる。
そして、上部には屋根部材４２が設けられている。なお、堂体４の最下部と中段部には、台部４３、４４が設けられている。
【００３３】
堂体４の内側には、回廊５が設けられている。回廊５は、堂体４の内側の形状に沿うように平面視コ字状かつ水平に設けられた回廊本体５０と、その両端部に設けられている階段５１を備えており、移動または分解が可能である。
なお、本実施の形態では、回廊５は一台のみ設けているが、堂体４の高さ（納骨用室容器Ｒ１の段数）に合わせて、複数段設けることもできる。
【００３４】
また、本実施の形態では、堂体４は平面視コ字状の一基のみを有する構造であるが、この構造に限定するものではなく、例えば更にそれを囲むように多層に設けたり、平面視で四角形状等の多角形状に設けたり、円形状に設けることもできる。このようにして、納骨施設Ｔの規模を自由に設定することができる。
そして、堂体４の内側には、仏像６が建てられている。本実施の形態では、仏像６を配置した構成としたが、仏像６を配置しない構成とすることもできる。
【００３５】
納骨施設Ｔは、上記構成を有し、全体が分解、組立が可能な構造であるので、構築後も移設が可能である。また、特定の納骨用室容器Ｒ１の移設も可能で、納骨用室容器Ｒ１の増設も容易にできる。
参拝者が回廊５の回廊本体５０に上がって参拝するとき、縁の納骨用室容器Ｒ１が手の届かない高さにある場合は、脚立などの台装置を使用することができる。
【００３６】
図１４は納骨用室容器の縦横方向の他の連結構造を示す説明図、
図１５は納骨用室容器の上下方向の他の連結構造を示す断面説明図である。
図１４に示す実施の形態においては、各納骨用室容器Ｒ１は、壁部に設けられた貫通孔を貫通して設けられたボルト・ナット７によって締め付けて縦横方向に連結されている。
また、図１５に示す実施の形態においては、各納骨用室容器Ｒ１は、壁部に設けられた貫通孔を貫通して設けられたボルト・ナット７によって締め付けて上下方向に連結されている。
これによれば、各納骨用室容器Ｒ１をより強固に連結することができ、地震や強風等にも対応することができる。
【００３７】
図１６は本発明に係る納骨用室容器の他の実施の形態を内戸部材の外側で断面した説明図、
図１７は図１６に示す納骨用室容器を構成する室容器本体の構造を示す横断面説明図、
図１８は図１６に示す納骨用室容器を構成する室容器本体の構造を示す縦断面説明図である。
なお、図において、上記納骨用室容器Ｒ１と同一または同等箇所には同一の符号を付して示し、構造について重複する説明は省略する。
【００３８】
納骨用室容器Ｒ２の室容器本体１は、右側面板１４及び左側面板１５に銘板８（図１６、図１７では想像線で図示）を着脱可能に設けるための装着部１７が設けられている。装着部１７は、右側面板１４及び左側面板１５のそれぞれ四箇所（合計で八箇所）に設けてある。装着部１７は、上下に一定の間隔をおいて形成された係合片１７１、１７２と、係合片１７１、１７２に上下に相対向して設けられた溝部１７０で構成されている。
【００３９】
なお、右側面板１４及び左側面板１５に設けられている装着部１７は、内戸部材３ｂ、３ｃより内部側にそれぞれ三箇所、外部側に一箇所設けられている。
背面板１１には、装着部１７と同様の構造で位牌等を装着して立てることができる装着部１７ａが設けてある。装着部１７ａには、銘板８を装着することもできる。
【００４０】
引き戸構造の内戸部材３ｂ、３ｃのうち、外側（図１６において手前側）に位置する内戸部材３ｂは、表面側に上記装着部１７とほぼ同様の構造で銘板８を着脱可能に設けるための装着部３１が設けられている。装着部３１を構成する係合片３１１、３１２には、上下に相対向して溝部３１０が設けられており、下側の係合片３１２の錠３１３が設けられている側は一部切り欠いてある。
【００４１】
また、銘板８は金属製（限定はしないが、例えば銅製）の長方形状の板表面に故人にまつわる事項（生年月日、没年月日、経歴、肖像等）を表示したものである。銘板８の長手方向の一端側の辺中央部には、上記装着部３１に装着したときの錠３１３の逃げとなり一端側が円弧状に設けられた切欠部８０が設けてある。
【００４２】
（作用）
図１９は図１６に示す納骨用室容器の縦横方向の他の連結構造を示す説明図である。
図１６ないし図１９を参照して納骨用室容器Ｒ２の作用を説明する。なお、上記納骨用室容器Ｒ１と同様の構成から生じる同様の作用については説明を省略する。
納骨用室容器Ｒ１では、装着部１７、１７ａ、３１に故人にまつわる事項を表示した銘板８または位牌（図示省略）等を着脱可能に装着することができる。
銘板８等の装着に際しては、最初の銘板８はまず内戸部材３ｂの装着部３１に装着される。そして、次の銘板８が加わると、前の銘板８は外されて内戸部材３ｂ、３ｃの外部側の装着部１７に装着され、装着部３１には新たに加わった銘板８が装着される。このように古い銘板８は、新たな銘板８が加わるごとに、順次内部側の装着部１７へ移される。
銘板８を設けることにより、故人をまつる人たちは、まつられている故人がどのような人であったか等の情報を簡単に得ることができる。
【００４３】
納骨用室容器Ｒ２は図１９に示すように、側部同士及び背面同士だけでなく側面部と背面部の接合もできる。すなわち、側面部の係合凸部１０８同士及び係合凹部１０９同士の間隔は正面側と背面側端面から係合凸部１０８または係合凹部１０９までの長さの四倍に設定され、また背面部の係合凸部１０８同士及び係合凹部１０９同士の間隔は両側面端面から係合凸部１０８または係合凹部１０９までの長さの二倍に設定されており、上記側面部と背面部の接合が可能になる。
なお、接合にあたって背面部側の係合凸部１０８が邪魔になる場合があるが、その場合は削り取るようにする。
これにより、納骨用室容器Ｒ２を連結して構築されたものの側面全てに納骨用室容器Ｒ２の扉部材２、２ａ側を配置できる。
【００４４】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００４５】
【発明の効果】
本発明は上記構成を備え、次の効果を有する。
（ａ）本発明に係る納骨用室容器は、連結手段によって、他の納骨用室容器と上下方向及び縦横方向に相互に連結することができる。従って、多数の納骨用室容器が上下方向と縦横方向に連結された、全体として簡易で無駄のない構造の納骨施設を、例えば僅かな空き地にでも自由な規模で構築することができる。
従って、墓を持たない人たちが寺に納骨をしようとする場合、寺側では、その数に関係なく、僅かな数から対応できるので、例えば納骨が何年もできず、長期にわたり自宅で保管することになるような事態も解消することができる。
【００４６】
（ｂ）故人にまつわる事項を表示した銘板を着脱可能に設ける手段を備えているものは、銘板を設けることにより、まつられている故人がどのような人であったか等の情報を簡単に得ることができる。また、銘板が増えれば移動させる等、銘板を整理して収めることができる。
【００４７】
（ｃ）本発明に係る納骨施設によれば、納骨施設を構築した後でも、納骨用室容器を連結するだけで、納骨室の増設が容易にできる。また、納骨用室容器の移設も可能であり、納骨施設そのものの移設も可能である。
【図面の簡単な説明】
【図１】  本発明に係る納骨用室容器の一実施の形態を示す斜視説明図。
【図２】  図１に示す納骨用室容器の正面図。
【図３】  図１に示す納骨用室容器の背面図。
【図４】  図１に示す納骨用室容器の平面図。
【図５】  図１に示す納骨用室容器の底面図。
【図６】  図１に示す納骨用室容器の右側面図。
【図７】  図１に示す納骨用室容器の左側面図。
【図８】  図２におけるＡ−Ａ断面図。
【図９】  図２におけるＢ−Ｂ断面図。
【図１０】  図６におけるＣ−Ｃ断面図。
【図１１】  本発明に係る納骨施設の一実施の形態を示す説明図。
【図１２】  納骨用室容器の縦横方向の連結構造を示す説明図。
【図１３】  納骨用室容器の上下方向の連結構造を示す断面説明図。
【図１４】  納骨用室容器の縦横方向の他の連結構造を示す説明図。
【図１５】  納骨用室容器の上下方向の他の連結構造を示す断面説明図。
【図１６】  本発明に係る納骨用室容器の他の実施の形態を内戸部材の外側で断面した説明図。
【図１７】  図１６に示す納骨用室容器を構成する室容器本体の構造を示す横断面説明図。
【図１８】  図１６に示す納骨用室容器を構成する室容器本体の構造を示す縦断面説明図。
【図１９】  図１６に示す納骨用室容器の縦横方向の他の連結構造を示す説明図。
【符号の説明】
Ｒ１  納骨用室容器
１  室容器本体
１０  条部
１００  条面
１０１  条面
１０２  条面
１０３  条面
１０４  条面
１０５  条面
１１  背面板
１１０  縦条部
１１１  ボルト止め用下穴
１０６  係合凸部
１０７  係合凹部
１２  上面板
１２０  横条部
１２１  レール
１３  底面板
１３０  横条部
１３１  レール
１９  係合台部
１４  右側面板
１４０  縦条部
１４１  ボルト止め用下穴
１０８  係合凸部
１５  左側面板
１５０  縦条部
１５１  ボルト止め用下穴
１０９  係合凹部
１６  開口部
２、２ａ  扉部材
２０  ヒンジピン
２１  掛金具
２２  錠
３、３ａ  内戸部材
３０、３０ａ  引手
１８  納骨部
Ｒ２  納骨用室容器
１７  装着部
１７ａ  装着部
１７０  溝部
１７１、１７２  係合片
３ｂ、３ｃ  内戸部材
３１  装着部
３１０  溝部
３１１、３１２  係合片
３１３  錠
８  銘板
８０  切欠部
Ｔ  納骨施設
４  堂体
４０  端面部材
４１  外側面部材
４２  屋根部材
４３、４４  台部材
５  回廊
５０  回廊本体
５１  階段
６  仏像
７  ボルト・ナット
【図１】
0003671297.tif 000002
【図２】
0003671297.tif 000003
【図３】
0003671297.tif 000004
【図４】
0003671297.tif 000005
【図５】
0003671297.tif 000006
【図６】
0003671297.tif 000007
【図７】
0003671297.tif 000008
【図８】
0003671297.tif 000009
【図９】
0003671297.tif 000010
【図１０】
0003671297.tif 000011
【図１１】
0003671297.tif 000012
【図１２】
0003671297.tif 000013
【図１３】
0003671297.tif 000014
【図１４】
0003671297.tif 000015
【図１５】
0003671297.tif 000016
【図１６】
0003671297.tif 000017
【図１７】
0003671297.tif 000018
【図１８】
0003671297.tif 000019
【図１９】
0003671297.tif 000020